(57)【要約】      （修正有）【課題】ファイバ誤接続検出方法において、簡単な構成で光ファイバの誤接続を検出する。【解決手段】複数の光送信器から出力される光信号の方路を光スイッチにより切替えて複数のポートのいずれかから多重光信号として送信するノード装置において、前記光信号を送信するポート毎に異なる固定パターンを発生して前記光送信器から出力する光信号に挿入するデータパターン発生器９１と、前記多重光信号の周波数スペクトルを検出する検出部９２と、前記検出された周波数スペクトルのピーク周波数を監視し、前記ポート毎に異なる固定パターンに対応するピーク周波数に基づいて前記光送信器の光ファイバの誤接続を検出する管理部９０と、を有する。【選択図】図３
2012244530.tif 000002
【特許請求の範囲】
【請求項１】
複数の光送信器から出力される光信号の方路を光スイッチにより切替えて複数のポートのいずれかから多重光信号として送信するノード装置において、
前記光信号を送信するポート毎に異なる固定パターンを発生して前記光送信器から出力する光信号に挿入するデータパターン発生器と、
前記多重光信号の周波数スペクトルを検出する検出部と、
前記検出された周波数スペクトルのピーク周波数を監視し、前記ポート毎に異なる固定パターンに対応するピーク周波数に基づいて前記光送信器の光ファイバの誤接続を検出する管理部と、
を有することを特徴とするノード装置。
【請求項２】
請求項１記載のノード装置において、
前記管理部は、前記光ファイバの誤接続を検出したとき、前記光送信器から出力する光信号を他のポートから出力するよう前記光スイッチにより切替える
ことを特徴とするノード装置。
【請求項３】
請求項１又は２記載のノード装置において、
前記データパターン発生器は、前記光信号を送信するポート毎に異なる固定パターンと、前記複数の光送信器それぞれの設置情報を発生して前記光送信器から出力する光信号に挿入し、
前記検出部は、前記光送信器から出力する光信号を受信して前記固定パターンと前記設置情報を抽出する光受信器であり、
前記管理部は、前記光受信器で抽出された前記固定パターンと前記設置情報から光ファイバの誤接続を検出することを特徴とするノード装置。
【請求項４】
複数の光送信器から出力される光信号の方路を光スイッチにより切替えて複数のポートのいずれかから多重光信号として送信するノード装置において、
前記光信号を送信するポート毎に異なる周波数で前記光送信器の出力する光信号又は前記光スイッチの出力する光信号の振幅変調を行う振幅変調部と、
前記複数のポートそれぞれから送信される多重光信号に含まれる各波長の振幅変動を検出する検出部と、
前記複数のポートそれぞれで検出された各波長の振幅変動を監視し、前記ポート毎に異なる周波数を含むか否かにより前記光送信器の光ファイバの誤接続を検出する管理部と、
を有することを特徴とするノード装置。
【請求項５】
複数の光送信器から出力される光信号の方路を光スイッチにより切替えて複数のポートのいずれかから多重光信号として送信するノード装置における光ファイバの誤接続を検出するファイバ誤接続検出方法において、
前記光信号を送信するポート毎に異なる固定パターンを発生して前記光送信器から出力する光信号に挿入し、
前記多重光信号の周波数スペクトルを光モニタし、
前記検出された周波数スペクトルのピーク周波数を監視し、前記ポート毎に異なる固定パターンに対応するピーク周波数に基づいて前記光送信器の光ファイバの誤接続を検出する
ことを特徴とするファイバ誤接続検出方法。
【請求項６】
請求項５記載のファイバ誤接続検出方法において、
前記光ファイバの誤接続を検出したとき、前記光送信器から出力する光信号を他のポートから出力するよう前記光スイッチにより切替える
ことを特徴とするファイバ誤接続検出方法。
【請求項７】
複数の光送信器から出力される光信号の方路を光スイッチにより切替えて複数のポートのいずれかから多重光信号として送信するノード装置における光ファイバの誤接続を検出するファイバ誤接続検出方法において、
前記光信号を送信するポート毎に異なる周波数で前記光送信器の出力する光信号又は前記光スイッチの出力する光信号の振幅変調を行い、
前記複数のポートそれぞれから送信される多重光信号に含まれる各波長の振幅変動を検出し、
前記複数のポートそれぞれで検出された各波長の振幅変動を監視し、前記ポート毎に異なる周波数を含むか否かにより前記光送信器の光ファイバの誤接続を検出する
ことを特徴とするファイバ誤接続検出方法。
【発明の詳細な説明】
【技術分野】
【０００１】
本発明は、光ファイバの誤接続を検出するファイバ誤接続検出方法及びノード装置に関する。
【背景技術】
【０００２】
光波長多重伝送システムにおける波長やＷＤＭ（Ｗａｖｅｌｅｎｇｔｈ  Ｄｉｖｉｓｉｏｎ  Ｍｕｌｔｉｐｌｅｘｅｒ）信号の出力方路の柔軟性を向上させるため，多ポートＷＳＳ（Ｗａｖｅｌｅｎｇｔｈ  Ｓｅｌｅｃｔｅｄ  Ｓｗｉｔｃｈ）やＮ×Ｎ＿ＯＸＣ（Ｏｐｔｉｃａｌ  Ｃｒｏｓｓ  Ｃｏｎｎｅｃｔ  Ｓｗｉｔｃｈ）等を使用した、Ｃｏｌｏｒｌｅｓｓ，Ｄｉｒｅｃｔｉｏｎｌｅｓｓ，Ｃｏｎｔｅｎｔｉｏｎｌｅｓｓ等の機能（以下、「ＣＤＣ機能」と呼ぶ）を持つノードから構成されるＣＤＣシステムが提案されている。なお、Ｃｏｌｏｒｌｅｓｓとは出力光の波長を自由に変更できることを意味し、Ｄｉｒｅｃｔｉｏｎｌｅｓｓとは出力光の方路を自由に変更できることを意味し、Ｃｏｎｔｅｎｔｉｏｎｌｅｓｓとは出力光において波長が衝突しないことを意味している。
【０００３】
このようなＣＤＣ機能を実現するノードにおいては、モジュール性を確保するためにできるだけ最小単位の光デバイスを一つのパッケージに収め、そのパッケージ間は光ファイバで接続する形態を採っている。
【０００４】
図１は従来のＣＤＣ機能を持つノード装置の一例の構成図を示す。図１において、ポート＃１から受信した多重光信号は光送受信部１−１で受信され、ポート＃１に対応する多重分離部２−１のスプリッタ（ＳＰＬ：Ｓｐｌｉｔｔｅｒ）３でパワー分岐され、ポート＃２〜＃８それぞれに対応する送受信部の波長選択スイッチ（ＷＳＳ）４に供給されると共に、多重分離部２−１内のスプリッタ５でパワー分岐されて光アンプを通してスプリッタ（ＳＰＬ）７−１〜８−１に供給される。
【０００５】
同様に、ポート＃８から受信した多重光信号は光送受信部１−８で増幅され、ポート＃８に対応する多重分離部２−８のスプリッタ（ＳＰＬ）３でパワー分岐され、波長毎にポート＃１〜＃７それぞれに対応する送受信部の波長選択スイッチ４に供給されると共に、多重分離部２−８内のスプリッタ５でパワー分岐されて光アンプを通して受信用のスプリッタ（ＳＰＬ）７−８〜８−８に供給される。
【０００６】
スプリッタ７−１〜７−８それぞれでパワー分岐された光信号は光スイッチ（ＯＸＣ）９，１０において波長毎に出力する方路をスイッチングされた後、チューナブルフィルタ（ＴＦ：Ｔｕｎａｂｌｅ  Ｆｉｌｔｅｒ）１１〜１２で波長選択されて光送受信器であるトランスポンダ（ＴＰ：Ｔｒａｎｓｐｏｎｄｅｒ）１３ａ〜１３ｄ等に供給する。トランスポンダ１３ａ〜１３ｄは光信号を電気信号に変換してフレーミングを行い、この電気信号をワイドバンドの光信号に変換してクライアントに送信する。
【０００７】
同様に、スプリッタ８−１〜８−８それぞれでパワー分岐された光信号は光スイッチ（ＯＸＣ）１４，１５において波長毎に出力する方路をスイッチングされた後、チューナブルフィルタ（ＴＦ）１６〜１７それぞれで波長選択されて光送受信器であるトランスポンダ（ＴＰ）１８ａ〜１８ｄ等に供給する。トランスポンダ１８ａ〜１８ｄは光信号を電気信号に変換してフレーミングを行い、この電気信号をワイドバンドの光信号に変換してクライアントに送信する。
【０００８】
トランスポンダ（ＴＰ）２１ａ〜２１ｄ等は光送受信器であり、クライアントから受信したワイドバンドの光信号を電気信号に変換してフレーミングを行い、この電気信号をナローバンドの光信号に変換してチューナブルフィルタ（ＴＦ）２２，２３に供給する。チューナブルフィルタ（ＴＦ）２２，２３それぞれで波長選択された各波長は光スイッチ（ＯＸＣ）２４，２５において波長毎に出力する方路をスイッチングされた後、送信用のカプラ（ＣＰＬ：Ｃｏｕｐｌｅｒ）２６−１〜２６−８に供給されて多重される。カプラ（ＣＰＬ）２６−１〜２６−８それぞれの出力する多重光は多重分離部２−１〜２−８それぞれのカプラ（ＣＰＬ）６に供給される。
【０００９】
また、トランスポンダ（ＴＰ）２７ａ〜２７ｄ等は光送受信器であり、クライアントから受信したワイドバンドの光信号を電気信号に変換してフレーミングを行い、この電気信号をナローバンドの光信号に変換してチューナブルフィルタ（ＴＦ）２８，２９に供給する。チューナブルフィルタ（ＴＦ）２８，２９で波長選択された各波長は光スイッチ（ＯＸＣ）３０，３１において波長毎に出力する方路をスイッチングされた後、送信用のカプラ（ＣＰＬ）３２−１〜３２−８に供給されて多重される。カプラ（ＣＰＬ）３２−１〜３２−８それぞれの出力する多重光は多重分離部２−１〜２−８それぞれのカプラ（ＣＰＬ）６に供給される。
【００１０】
多重分離部２−１〜２−８それぞれのカプラ（ＣＰＬ）６は送信用のカプラから供給される多重光を合波して波長選択スイッチ（ＷＳＳ）４に供給する。波長選択スイッチ（ＷＳＳ）４は各ポート＃１〜＃８からの光信号を波長多重し、光送受信部１−１〜１−８それぞれを通してポート＃１〜＃８から送信する。
【００１１】
従来はファイバ接続の確認のために、一般的に光ファイバ接続元の信号光に対して、接続毎に異なる低周波数の振幅変調を加え、光ファイバ接続先に配設された光検出器（ＰＤ：ｐｈｏｔｏ  ｄｅｔｅｃｔｏｒ）で変調の周波数を検出し、所望の接続元からの信号が送られてきているかを確認している。
【００１２】
例えばトランスポンダ（ＴＰ）２７ａからチューナブルフィルタ（ＴＦ）２８までを接続する光ファイバの接続確認、チューナブルフィルタ（ＴＦ）２８から光スイッチ（ＯＸＣ）３０までを接続する光ファイバの接続確認、光スイッチ（ＯＸＣ）３０からカプラ（ＣＰＬ）３２−８までを接続する光ファイバの接続確認、カプラ（ＣＰＬ）３２−８から多重分離部２−８のカプラ（ＣＰＬ）６までを接続する光ファイバの接続確認、多重分離部２−８のカプラ（ＣＰＬ）６から波長選択スイッチ（ＷＳＳ）４までを接続する光ファイバの接続確認、多重分離部２−８の波長選択スイッチ（ＷＳＳ）４から光送受信部１−８までの光ファイバの接続確認をそれぞれ行うことで、トランスポンダ（ＴＰ）２７ａから光送受信部１−８までの間の接続確認を行っている。
【００１３】
ところで、伝送装置に係る識別子と伝送装置に係る識別子とからなる装置間接続情報を格納し、伝送装置１係る識別子からなる制御フレームデータを生成し、伝送装置に対し通信ケーブルを介して制御フレームデータを送信するとともに、返信された制御フレームデータを受信して、受信した制御フレームデータから識別子を抽出し、装置間接続情報との一致・不一致を判定する技術が知られている（例えば特許文献１参照）。
【００１４】
また、通信装置が光信号出力有り無しの状態を切り換えて生成する、双方向ポートペアごとに固有の信号パターンの光信号を送信し、光スイッチ装置が受信した光信号を受信ポートとペアをなす送信ポートへループバックし、通信装置がループバック信号から受信パターンを検出して、検出したパターンがそれを受信した受信ポートとペアの送信ポートから送信された信号パターンと同一の場合に正しい接続状態と判定する技術が知られている（例えば特許文献２参照）。
【００１５】
また、光アンプに、ＷＤＭ信号光Ｌｓが入出力される１つのアンプ盤と、アンプ盤に励起光Ｌｐを供給する複数のブースター盤とを備え、各ブースター盤内で生成されるＩＤパターンを励起光Ｌｐに重畳させてアンプ盤に送り、アンプ盤内に設けた受光器での励起光Ｌｐの光モニタ結果を示す電気信号Ｓｍを対応するブースター盤に伝え、その電気信号に含まれる受信ＩＤパターンが生成ＩＤパターンと一致するか否かをブースター盤内で検出し、その検出結果に応じて出力ファイバの接続状態を判断して励起光Ｌｐの出力レベルを制御する。技術が知られている（例えば特許文献３参照）。
【００１６】
また、ヘッダの所定第１フィールドに自ノードのノード識別子、及び信号を入出力するインタフェースの識別子を設定して受信側ノードへ送信し、該受信側ノードから該第１フィールドに設定された両識別子を受信したとき、両識別子を該ヘッダの所定第２フィールドに設定して該第１フィールドと共に送信し且つ保存し、該第１及び第２フィールドに設定された識別子を受信したとき、該第２フィールドの識別子が、保存した第１フィールドの識別子と一致しているときに正常と判定する技術が知られている（例えば特許文献４参照）。
【先行技術文献】
【特許文献】
【００１７】
【特許文献１】特開２０１０−１７１６９４号公報
【特許文献２】特開２００８−２８８９９３号公報
【特許文献３】特開２００６−１３５６５１号公報
【特許文献４】特開２００８−７２４６２号公報
【発明の概要】
【発明が解決しようとする課題】
【００１８】
ＣＤＣシステムのノードにおけるファイバ接続の本数は非常に多く、例えば８方路、８８波の光信号を有するシステムにおいては、数１００本から１０００本程度のファイバ接続が必要になる可能性がある。また、ＣＤＣシステムにおいては、各光信号を送信するポート（方路：ｄｅｇｒｅｅ）の接続を誤ると波長が衝突してしまい、既存の信号にエラーを引き起こしたり、間違ったポート（方路）に信号を送出してしまったりするおそれがある。
【００１９】
しかし、光ファイバ接続部の全てについて、接続元に変調部を配設し接続先に光検出器を配設する構成では、ノードの装置サイズが大きくなり、コストも非常に高くなってしまうという問題がある。また、光ファイバ接続数分の変調周波数を用意しなければならないため、接続先の光検出器における周波数検出を高精度に行わなければならず、コストが上昇するという問題があった。
【００２０】
開示のノード装置は、簡単な構成で光ファイバの誤接続を検出することを目的とする。
【課題を解決するための手段】
【００２１】
開示の一実施形態によるノード装置は、複数の光送信器から出力される光信号の方路を光スイッチにより切替えて複数のポートのいずれかから多重光信号として送信するノード装置において、
前記光信号を送信するポート毎に異なる固定パターンを発生して前記光送信器から出力する光信号に挿入するデータパターン発生器と、
前記複数のポートそれぞれから送信される多重光信号の周波数スペクトルを検出する検出部と、
前記複数のポートそれぞれで検出された周波数スペクトルのピーク周波数を監視し、前記ポート毎に異なる固定パターンに対応するピーク周波数を含むか否かにより前記光送信器の光ファイバの誤接続を検出する管理部と、
を有する。
【発明の効果】
【００２２】
本実施形態によれば、簡単な構成で光ファイバの誤接続を検出することができる。
【図面の簡単な説明】
【００２３】
【図１】従来のノード装置の一例の構成図である。
【図２】光波長多重伝送システムの一実施形態の構成図である。
【図３】ノード装置の第１実施形態の構成図である。
【図４】固定パターンによるピーク周波数の違いを説明するための図である。
【図５】ファイバ誤接続監視処理のフローチャートである。
【図６】ノード装置の第１実施形態の変形例の構成図である。
【図７】ノード装置の第２実施形態の構成図である。
【発明を実施するための形態】
【００２４】
以下、図面に基づいて実施形態を説明する。
【００２５】
＜光波長多重伝送システム＞
図２は光波長多重伝送システムの一実施形態の構成図を示す。図２において、ノードＮ１，Ｎ２，Ｎ３，Ｎ４それぞれの間は光ファイバで接続され、ノードＮ３，Ｎ４，Ｎ６，Ｎ５それぞれの間は光ファイバで接続されてネットワークを構成している。ノードＮ１〜Ｎ６それぞれは、光波長の変更や光パスの再構築が可能なＲ−ＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）で構成されている。各ノードＮ１〜Ｎ６はネットワーク全体を監視制御するＮＭＳ（Ｎｅｔｗｏｒｋ  Ｍａｎａｇｅｍｅｎｔ  Ｓｙｓｔｅｍ）４０と接続されている。なお、ＮＭＳ４０は全てのノードＮ１〜Ｎ６と接続されている必要はなく、ＮＭＳ４０は一部のノード（例えばＮ１）と接続されていれば、ノードＮ１からネットワークを介して他のノードＮ２〜Ｎ６と接続することができる。
【００２６】
＜ノード装置の第１実施形態＞
図３はＣＤＣ機能を持つノード装置の第１実施形態の構成図を示す。図３において、ポート＃１から受信した多重光信号は光送受信部５１−１で受信され、ポート＃１に対応する多重分離部５２−１のスプリッタ（ＳＰＬ）５３でパワー分岐され、ポート＃２〜＃８それぞれに対応する送受信部の波長選択スイッチ（ＷＳＳ）５４に供給されると共に、多重分離部５２−１内のスプリッタ５５でパワー分岐されて光アンプを通してスプリッタ（ＳＰＬ）５７−１，５８−１に供給される。
【００２７】
同様に、ポート＃８から受信した多重光信号は光送受信部５１−８で増幅され、ポート＃８に対応する多重分離部５２−８のスプリッタ（ＳＰＬ）５３でパワー分岐され、ポート＃１〜＃７それぞれに対応する送受信部の波長選択スイッチ５４に供給されると共に、多重分離部５２−８内のスプリッタ５５でパワー分岐されて光アンプを通して受信用のスプリッタ（ＳＰＬ）５７−８，５８−８に供給される。
【００２８】
スプリッタ５７−１〜５７−８それぞれでパワー分岐された光信号は光スイッチ（ＯＸＣ）６９，６０において波長毎に出力する方路をスイッチングされた後、チューナブルフィルタ（ＴＦ）６１，６２にて波長単位で波長選択されて光送受信器であるトランスポンダ（ＴＰ：Ｔｒａｎｓｐｏｎｄｅｒ）６３ａ〜６３ｄ等に供給する。トランスポンダ６３ａ〜６３ｄは光信号を電気信号に変換してフレーミングを行い、この電気信号をワイドバンドの光信号に変換してクライアントに送信する。
【００２９】
同様に、スプリッタ５８−１〜５８−８それぞれでパワー分岐された光信号は光スイッチ（ＯＸＣ）６４，６５において波長毎に出力する方路をスイッチングされた後、チューナブルフィルタ（ＴＦ）６６，６７にて波長単位で波長選択されて光送受信器であるトランスポンダ（ＴＰ）６８ａ〜６８ｄ等に供給する。トランスポンダ６８ａ〜６８ｄは光信号を電気信号に変換してフレーミングを行い、この電気信号をワイドバンドの光信号に変換してクライアントに送信する。
【００３０】
トランスポンダ（ＴＰ）７１ａ〜７１ｄ等は光送受信器であり、クライアントから受信したワイドバンドの光信号を電気信号に変換してフレーミングを行い、この電気信号をナローバンドの光信号に変換してチューナブルフィルタ（ＴＦ）７２，７３に供給する。チューナブルフィルタ（ＴＦ）７２，７３で波長選択された各波長は光スイッチ（ＯＸＣ）７４，７５において波長毎に出力する方路をスイッチングされた後、送信用のカプラ（ＣＰＬ）７６−１〜７６−８に供給されて多重される。カプラ（ＣＰＬ）７６−１〜７６−８それぞれの出力する多重光は多重分離部５２−１〜５２−８それぞれのカプラ（ＣＰＬ）５６に供給される。
【００３１】
また、トランスポンダ（ＴＰ）７７ａ〜７７ｄ等は光送受信器であり、クライアントから受信したワイドバンドの光信号を電気信号に変換してフレーミングを行い、この電気信号をナローバンドの光信号に変換してチューナブルフィルタ（ＴＦ）７８，７９に供給する。チューナブルフィルタ（ＴＦ）７８，７９で波長選択された各波長は光スイッチ（ＯＸＣ）８０，８１において波長毎に出力する方路をスイッチングされた後、送信用のカプラ（ＣＰＬ）８２−１〜８２−８に供給されて多重される。カプラ（ＣＰＬ）８２−１〜８２−８それぞれの出力する多重光は多重分離部５２−１〜５２−８それぞれのカプラ（ＣＰＬ）５６に供給される。
【００３２】
なお、各光スイッチ（ＯＸＣ）は例えば８×８波長のスイッチングを行い、各チューナブルフィルタ（ＴＦ）は例えば８波長の波長選択を行い、各チューナブルフィルタ（ＴＦ）には最大８個のトランスポンダが接続される。
【００３３】
多重分離部５２−１〜５２−８それぞれのカプラ（ＣＰＬ）５６は送信用のカプラから供給される多重光を合波して波長選択スイッチ（ＷＳＳ）５４に供給する。波長選択スイッチ（ＷＳＳ）５４は各ポート＃１〜＃８からの光信号を波長選択して多重し、得られた多重光信号を光送受信部５１−１〜５１−８それぞれを通してポート＃１〜＃８から送信する。
【００３４】
ここで、波長選択スイッチ（ＷＳＳ）５４、チューナブルフィルタ（ＴＦ）６１，６２，６６，６７，７２，７３，７８，７９、トランスポンダ７１ａ〜７１ｄ，７７ａ〜７７ｄそれぞれは全て波長可変デバイスを使用する。また、トランスポンダ６３ａ〜６３ｄ，６８ａ〜６８ｄのコヒーレント受信器で用いる局部発振光の生成部も波長可変デバイスを使用する。
【００３５】
これらの波長可変デバイスは管理部（ＭＣ：Ｍａｎａｇｅｍｅｎｔ  Ｃｏｍｐｌｅｘ）９０からの制御に従って発振又は送受信又は選択する波長を変化させることにより、ＣＤＣ機能におけるＣｏｌｏｒｌｅｓｓ機能を実現している。また、各多重分離部内のスプリッタ４５の出力信号を光スイッチ（ＯＸＣ）５９，６０，６４，６５で方路の切替えを行うと共に、光スイッチ（ＯＸＣ）７２，７３，８０，８１で方路の切替えを行った信号を各多重分離部内のカプラ５６に供給することでＤｉｒｅｃｔｉｏｎｌｅｓｓ機能を実現している。
【００３６】
データパターン発生器９１は、管理部（ＭＣ）９０からの制御に従って各方路に特定の固定パターンを発生してトランスポンダ７１ａ〜７１ｄ，７７ａ〜７７ｄのいずれかに供給する。なお、データパターン発生器９１は管理部（ＭＣ）９０に内蔵された構成であっても良い。例えば、データパターン発生器９１は、パルス発生器で構成することができる。
【００３７】
これにより、トランスポンダ７１ａ〜７１ｄ，７７ａ〜７７ｄでは各方路毎に特定の固定パターンをオーバーヘッド部に挿入した信号光を出力する。例えばポート＃１の方路に信号を出力するトランスポンダ（例えば７７ａ）に対しては固定パターン「１０１０１０１０１０１０」を供給し、ポート＃２の方路に信号を出力するトランスポンダ（例えば７７ｂ）に対しては固定パターン「１００１００１００１００」を供給し、ポート＃８の方路に信号を出力するトランスポンダ（例えば７７ｄ）に対しては固定パターン「１０００１０００１０００」を供給する。なお、上記の固定パターンは信号光のオーバーヘッド部に限らずペイロード部に挿入しても良い。ただし、この場合にはペイロード部に対するスクランブルを解除する必要がある。
【００３８】
また、ポート＃１〜＃８それぞれの多重分離部５２−１〜５２−８のカプラ（ＣＰＬ）５６の出力光は光モニタ（ＯＣＭ：Ｏｐｔｉｃａｌ  Ｃｈａｎｎｅｌ  Ｍｏｎｉｔｏｒ）９２−１〜９２−８が設けられている。光モニタ９２−１〜９２−８の出力は管理部（ＭＣ）９０に供給される。
【００３９】
光モニタ９２−１〜９２−８は、例えば第１固定パターン「１０１０１０１０１０１０」を含む信号光が供給されると、図４（Ａ）に示すようにピーク周波数ｆ０を含む周波数スペクトルを出力する。また、第２固定パターン「１００１００１００１００」を含む信号光が供給されると、図４（Ｂ）に示すようにピーク周波数ｆ１（ｆ１＜ｆ０）を含む周波数スペクトルを出力し、更に、第３固定パターン「１０００１０００１０００」を含む信号光が供給されると、図４（Ｃ）に示すようにピーク周波数ｆ２（ｆ２＜ｆ１）を含む周波数スペクトルを出力する。すなわち、光モニタ９２−１〜９２−８は異なる固定パターンによって異なるピーク周波数を含む周波数スペクトルを出力する。
【００４０】
このため、管理部（ＭＣ）９０は、例えばポート＃８の方路から出力しようとする信号光を発生するトランスポンダ（例えば７７ｄ）に対して第３固定パターン「１０００１０００１０００」を供給し、ポート＃８の光モニタ９２−８から供給される周波数スペクトルを監視する。そして、管理部（ＭＣ）９０は周波数スペクトルにピーク周波数ｆ２が含まれていれば、トランスポンダ７７ｄから多重分離部５２−８内の波長選択スイッチ（ＷＳＳ）５４までの光ファイバの接続は正常と判定し、ピーク周波数ｆ２が含まれていなければトランスポンダ７７ｄから多重分離部５２−８内の波長選択スイッチ（ＷＳＳ）５４までの光ファイバの接続は異常と判定する。また、ピーク周波数ｆ０又はｆ１が含まれていれば、トランスポンダ７７ａ又は７７ｂからの光ファイバの接続は異常と判定する。異常と判定した場合にはアラームを発生する。
【００４１】
なお、光モニタ（ＯＣＭ）９２−１〜９２−８を設ける代りに、多重分離部５２−１〜５２−８それぞれのカプラ（ＣＰＬ）５６に供給される信号光を光スイッチ９４に供給し、光スイッチ９４を管理部（ＭＣ）９０の制御で切替えることで順に光モニタ（ＯＣＭ）９５に供給し、光モニタ（ＯＣＭ）９５の出力する周波数スペクトルを管理部（ＭＣ）９０に供給する構成としても良い。例えば、管理部（ＭＣ）９０は、回路、ＦＰＧＡ（Ｆｉｅｌｄ−Ｐｒｏｇｒａｍｍａｂｌｅ  Ｇａｔｅ  Ａｒｒａｙ）、プロセッサで構成することができる。
【００４２】
図５は管理部（ＭＣ）９０が実行するファイバ誤接続監視処理のフローチャートを示す。図５において、ステップＳ１１で管理部（ＭＣ）９０は監視対象のトランスポンダ（例えば７７ｄ）に対し、当該トランスポンダが出力する光信号の出力方路（当該出力方路、例えばポート＃８）に対応する固定パターン（例えば第３固定パターン「１０００１０００１０００」）をデータパターン発生器９１から供給する。
【００４３】
ステップＳ１２で管理部（ＭＣ）９０は当該出力方路の光モニタ（例えば９２−８）の出力する周波数スペクトルを受信して第３固定パターンに対応するピーク周波数（当該ピーク周波数、例えばｆ２）が含まれるかを判定する。ステップＳ１３で当該ピーク周波数が含まれるか否かを判別し、含まれる場合はステップＳ１４で「ＯＫ」と判定して処理を終了する。
【００４４】
ステップＳ１２で当該ピーク周波数が含まれない場合はステップＳ１５で「ＮＧ」と判定してアラームを発生し、ステップＳ１６で管理部（ＭＣ）９０は当該トランスポンダが出力する光信号の方路を切替える光スイッチ（例えば光スイッチ８１）における切替えを実行してステップＳ１２に進む。
【００４５】
これにより、光ファイバの誤接続があっても、監視対象のトランスポンダが出力する光信号を所望の出力方路から出力することが可能となる。なお、ステップＳ１６で管理部（ＭＣ）９０は、他の全ての出力方路の光モニタ（９２−１〜９２−７）の出力する周波数スペクトルを受信して第３固定パターンに対応するピーク周波数（当該ピーク周波数ｆ２）が、どの出力方路に含まれるかを判定し、この判定結果に基づいて当該トランスポンダが出力する光信号の方路を切替える光スイッチ（例えば光スイッチ８１）における切替えを実行してもよい。
【００４６】
本実施形態では、データパターン発生器と光モニタ（ＯＣＭ）のみを用いた簡易な構成で光ファイバの誤接続を検出することができる。また、識別するための固定パターンも方路数のみに限定することが可能となり、その上で方路誤接続という、最も重大な接続ミスを防ぐことができる。
【００４７】
＜ノード装置の第１実施形態の変形例＞
図６はＣＤＣ機能を持つノード装置の第１実施形態の変形例の構成図を示す。図６において、図３と異なる点は、ポート＃１〜＃８それぞれの多重分離部５２−１〜５２−８のカプラ（ＣＰＬ）５６の出力光を光モニタ（ＯＣＭ）９２−１〜９２−８に供給するのではなく、チューナブルフィルタ（ＴＦ）９７−１〜９７−８を通して光受信器９８−１〜９８−８に供給し、光受信器９８−１〜９８−８の出力を管理部（ＭＣ）９０に供給する点である。
【００４８】
図６においては、各チューナブルフィルタ（ＴＦ）９７−１〜９７−８は通過する波長を低波長から高波長まで順に走査（スイープ）し、各チューナブルフィルタ（ＴＦ）９７−１〜９７−８を通過した波長が光受信器９８−１〜９８−８に供給される。光受信器９８−１〜９８−８では受信した光信号の復号を行う段階より前のデジタル処理段階で図３（Ａ）〜（Ｃ）に示すような周波数スペクトルが得られる。管理部（ＭＣ）９０では、この周波数スペクトルを用いて図５に示すファイバ誤接続監視処理を実行する。
【００４９】
ところで、光受信器９８−１〜９８−８がコヒーレント受信に対応したものであれば、光受信器９８−１〜９８−８内の局部発振光の生成部に波長可変デバイスを使用することで受信波長を走査（スイープ）することができるため、チューナブルフィルタ（ＴＦ）９７−１〜９７−８を省略することができる。
【００５０】
更に、データパターン発生器９１で、トランスポンダ７１ａ〜７１ｄ，７７ａ〜７７ｄのうち監視対象のトランスポンダについて、当該トランスポンダが出力する信号光の方路に応じた特定の固定パターンと共に、当該トランスポンダを設置するスロット番号を発生し、上記特定の固定パターンと設置情報としてのスロット番号を当該トランスポンダに供給し、当該トランスポンダでオーバーヘッド部に特定の固定パターンとスロット番号を挿入した信号光を出力する。なお、スロット番号とはノード装置における当該トランスポンダを設置するスロットを特定する情報である。
【００５１】
この場合、光受信器９８−１〜９８−８では受信した光信号のオーバーヘッド部から特定の固定パターンとスロット番号を抽出することができ、抽出した特定の固定パターンとスロット番号を管理部（ＭＣ）９０に供給することで、当該トランスポンダの光ファイバ接続の可否も監視することができる。
【００５２】
＜ノード装置の第２実施形態＞
図７はＣＤＣ機能を持つノード装置の第２実施形態の構成図を示す。図３において、ポート＃１から受信した多重光信号は光送受信部５１−１で受信され、ポート＃１に対応する多重分離部５２−１のスプリッタ（ＳＰＬ）５３でパワー分岐され、ポート＃２〜＃８それぞれに対応する送受信部の波長選択スイッチ（ＷＳＳ）５４に供給されると共に、多重分離部５２−１内のスプリッタ５５でパワー分岐されて光アンプを通してスプリッタ（ＳＰＬ）５７−１，５８−１に供給される。
【００５３】
同様に、ポート＃８から受信した多重光信号は光送受信部５１−８で増幅され、ポート＃８に対応する多重分離部５２−８のスプリッタ（ＳＰＬ）５３でパワー分岐され、ポート＃１〜＃７それぞれに対応する送受信部の波長選択スイッチ５４に供給されると共に、多重分離部５２−８内のスプリッタ５５でパワー分岐されて光アンプを通して受信用のスプリッタ（ＳＰＬ）５７−８，５８−８に供給される。
【００５４】
スプリッタ５７−１〜５７−８それぞれでパワー分岐された光信号は光スイッチ（ＯＸＣ）６９，６０において波長毎に出力する方路をスイッチングされた後、チューナブルフィルタ（ＴＦ）６１，６２にて波長単位で波長選択されて光送受信器であるトランスポンダ（ＴＰ）６３ａ〜６３ｄ等に供給する。トランスポンダ６３ａ〜６３ｄは光信号を電気信号に変換してフレーミングを行い、この電気信号をワイドバンドの光信号に変換してクライアントに送信する。
【００５５】
同様に、スプリッタ５８−１〜５８−８それぞれでパワー分岐された光信号は光スイッチ（ＯＸＣ）６４，６５において波長毎に出力する方路をスイッチングされた後、チューナブルフィルタ（ＴＦ）６６，６７にて波長単位で波長選択されて光送受信器であるトランスポンダ（ＴＰ）６８ａ〜６８ｄ等に供給する。トランスポンダ６８ａ〜６８ｄは光信号を電気信号に変換してフレーミングを行い、この電気信号をワイドバンドの光信号に変換してクライアントに送信する。
【００５６】
トランスポンダ（ＴＰ）７１ａ〜７１ｄ等は光送受信器であり、クライアントから受信したワイドバンドの光信号を電気信号に変換してフレーミングを行い、この電気信号をナローバンドの光信号に変換してチューナブルフィルタ（ＴＦ）７２，７３に供給する。チューナブルフィルタ（ＴＦ）７２，７３で波長選択された各波長は光スイッチ（ＯＸＣ）７４，７５において波長毎に出力する方路をスイッチングされた後、送信用のカプラ（ＣＰＬ）７６−１〜７６−８に供給されて多重される。カプラ（ＣＰＬ）７６−１〜７６−８それぞれの出力する多重光は多重分離部５２−１〜５２−８それぞれのカプラ（ＣＰＬ）５６に供給される。
【００５７】
また、トランスポンダ（ＴＰ）７７ａ〜７７ｄ等は光送受信器であり、クライアントから受信したワイドバンドの光信号を電気信号に変換してフレーミングを行い、この電気信号をナローバンドの光信号に変換してチューナブルフィルタ（ＴＦ）７８，７９に供給する。チューナブルフィルタ（ＴＦ）７８，７９で波長選択された各波長は光スイッチ（ＯＸＣ）８０，８１において波長毎に出力する方路をスイッチングされた後、送信用のカプラ（ＣＰＬ）８２−１〜８２−８に供給されて多重される。カプラ（ＣＰＬ）８２−１〜８２−８それぞれの出力する多重光は多重分離部５２−１〜５２−８それぞれのカプラ（ＣＰＬ）５６に供給される。
【００５８】
なお、各光スイッチ（ＯＸＣ）は例えば８×８波長のスイッチングを行い、各チューナブルフィルタ（ＴＦ）は例えば８波長の波長選択を行い、各チューナブルフィルタ（ＴＦ）には最大８個のトランスポンダが接続される。
【００５９】
多重分離部５２−１〜５２−８それぞれのカプラ（ＣＰＬ）５６は送信用のカプラから供給される多重光を合波して波長選択スイッチ（ＷＳＳ）５４に供給する。波長選択スイッチ（ＷＳＳ）５４は各ポート＃１〜＃８からの光信号を波長選択して多重し、得られた多重光信号を光送受信部５１−１〜５１−８それぞれを通してポート＃１〜＃８から送信する。
【００６０】
ここで、波長選択スイッチ（ＷＳＳ）５４、チューナブルフィルタ（ＴＦ）６１，６２，６６，６７，７２，７３，７８，７９、トランスポンダ７１ａ〜７１ｄ，７７ａ〜７７ｄそれぞれは全て波長可変デバイスを使用する。また、トランスポンダ６３ａ〜６３ｄ，６８ａ〜６８ｄのコヒーレント受信器で用いる局部発振光の生成部も波長可変デバイスを使用する。
【００６１】
これらの波長可変デバイスは管理部（ＭＣ）９０からの制御に従って発振又は送受信又は選択する波長を変化させることにより、ＣＤＣ機能におけるＣｏｌｏｒｌｅｓｓ機能を実現している。また、各多重分離部内のスプリッタ４５の出力信号を光スイッチ（ＯＸＣ）５９，６０，６４，６５で方路の切替えを行うと共に、光スイッチ（ＯＸＣ）７２，７３，８０，８１で方路の切替えを行った信号を各多重分離部内のカプラ５６に供給することでＤｉｒｅｃｔｉｏｎｌｅｓｓ機能を実現している。
【００６２】
図７においては、図３におけるデータパターン発生器９１を設けず、管理部（ＭＣ）９０から波長毎に出力する方路を切替える光スイッチ（ＯＸＣ）７４，７５，８０，８１を管理部（ＭＣ）９０から制御する。管理部（ＭＣ）９０は光スイッチ（ＯＸＣ）７４，７５，８０，８１に対し、光信号を出力する方路（ポート）毎に異なる周波数（例えば１ｋＨｚ程度の低周波数）で、光信号の振幅変調を行わせる。
【００６３】
光スイッチ（ＯＸＣ）や波長選択スイッチ（ＷＳＳ）においては信号出力部に減衰機能を有しており、光スイッチ（ＯＸＣ）は上記減衰機能を用いて振幅変調を行う。つまり、光ファイバの正常に接続されていれば、ポート＃１から出力される波長のグループは例えば周波数ｆ１１で振幅変調され、ポート＃２から出力される波長のグループは例えば周波数ｆ１２で振幅変調され、同様にして、ポート＃８から出力される波長のグループは例えば周波数ｆ１８で振幅変調されることになる。
【００６４】
各光モニタ（ＯＣＭ）９２−１〜９２−８は、振幅変調の周波数をα［Ｈｚ］とし、各ポートから出力される多重光信号における多重された波長数をｎとすると、２×ｎ×α［Ｈｚ］以上の周波数で多重光信号の全ての波長を走査することで、各波長のピークレベルの変化つまり振幅変調の様子を監視して、監視結果を管理部（ＭＣ）９０に供給する。
【００６５】
このため、管理部（ＭＣ）９０は、例えばポート＃８の方路から出力しようとする信号光を出力する光スイッチ（ＯＸＣ）８１の信号出力部に対して周波数ｆ１８で振幅変調させ、ポート＃８の光モニタ９２−８から供給される各波長のピークレベルの変化を監視する。そして、管理部（ＭＣ）９０は多重光信号の全ての波長のピークレベルの変化が周波数ｆ１８であれば、光スイッチ（ＯＸＣ）８１から多重分離部５２−８内の波長選択スイッチ（ＷＳＳ）５４までの光ファイバの接続は正常と判定し、周波数ｆ１８が含まれていない場合、又は、ピークレベルの変化が周波数ｆ１８以外の周波数である場合、光スイッチ（ＯＸＣ）８１から多重分離部５２−８内の波長選択スイッチ（ＷＳＳ）５４までの光ファイバの接続は異常と判定してアラームを発生する。
【００６６】
＜ノード装置の立上げ時＞
ノード装置の立上げ時には、トランスポンダ６３ａ〜６３ｄ，６８ａ〜６８ｄ，７１ａ〜７１ｄ，７７ａ〜７７ｄが全て備わっている必要はない。立上げ時には、例えば１台のトランスポンダ７７ａをチューナブルフィルタ（ＴＦ）６６，６７，７８，７９に順に接続し、接続位置により出力ポートの方路に応じて管理部（ＭＣ）９０からトランスポンダ７７ａに固定パターンを供給し、又は、トランスポンダ７７ａ接続位置に対応する光スイッチ（ＯＸＣ）の出力する光信号の振幅変調を行わせることにより、トランスポンダ７１ａ〜７１ｄ，７７ａ〜７７ｄそれぞれの光ファイバの接続が正常か否かを判定することができる。
【００６７】
＜インサービス時＞
ネットワーク構築後にトランスポンダの追加等を行う際には、既存の光信号に影響を及ぼさず、かつ、変更の対象となる光信号についてもサービスを中断することのないインサービスで行う必要がある。
【００６８】
この場合、追加するトランスポンダの波長を、ノード装置内で主信号として使用している帯域外の波長であり、かつ、光モニタ（ＯＣＭ）での確認が可能な波長に設定し、第１実施形態又は第２実施形態の手法を使用して、追加するトランスポンダのファイバの接続を確認する。接続が正常と確認した後、追加するトランスポンダの出力する波長を所望の波長に変更して光信号を出力する。この方式を採ることで、主信号に影響することなく、光ファイバの誤接続を確認することができる。
【００６９】
上記の実施形態では、複雑なＣＤＣシステムのファイバ接続において、誤接続とその箇所の特定を、簡単な構成で低コストかつ省サイズで実現することができ、これにより誤接続による既存信号のエラーや誤った方路への信号の送出を防ぐことが可能になる。
（付記１）
複数の光送信器から出力される光信号の方路を光スイッチにより切替えて複数のポートのいずれかから多重光信号として送信するノード装置において、
前記光信号を送信するポート毎に異なる固定パターンを発生して前記光送信器から出力する光信号に挿入するデータパターン発生器と、
前記多重光信号の周波数スペクトルを検出する検出部と、
前記検出された周波数スペクトルのピーク周波数を監視し、前記ポート毎に異なる固定パターンに対応するピーク周波数に基づいて前記光送信器の光ファイバの誤接続を検出する管理部と、
を有することを特徴とするノード装置。
（付記２）
付記１記載のノード装置において、
前記管理部は、前記光ファイバの誤接続を検出したとき、前記光送信器から出力する光信号を他のポートから出力するよう前記光スイッチにより切替える
ことを特徴とするノード装置。
（付記３）
付記１又は２記載のノード装置において、
前記データパターン発生器は、前記光信号を送信するポート毎に異なる固定パターンと、前記複数の光送信器それぞれの設置情報を発生して前記光送信器から出力する光信号に挿入し、
前記検出部は、前記光送信器から出力する光信号を受信して前記固定パターンと設置情報を抽出する光受信器であり、
前記管理部は、前記光受信器で抽出された前記固定パターンと前記設置情報から光ファイバの誤接続を検出することを特徴とするノード装置。
（付記４）
複数の光送信器から出力される光信号の方路を光スイッチにより切替えて複数のポートのいずれかから多重光信号として送信するノード装置において、
前記光信号を送信するポート毎に異なる周波数で前記光送信器の出力する光信号又は前記光スイッチの出力する光信号の振幅変調を行う振幅変調部と、
前記複数のポートそれぞれから送信される多重光信号に含まれる各波長の振幅変動を検出する検出部と、
前記複数のポートそれぞれで検出された各波長の振幅変動を監視し、前記ポート毎に異なる周波数を含むか否かにより前記光送信器の光ファイバの誤接続を検出する管理部と、
を有することを特徴とするノード装置。
（付記５）
複数の光送信器から出力される光信号の方路を光スイッチにより切替えて複数のポートのいずれかから多重光信号として送信するノード装置における光ファイバの誤接続を検出するファイバ誤接続検出方法において、
前記光信号を送信するポート毎に異なる固定パターンを発生して前記光送信器から出力する光信号に挿入し、
前記多重光信号の周波数スペクトルを光モニタし、
前記検出された周波数スペクトルのピーク周波数を監視し、前記ポート毎に異なる固定パターンに対応するピーク周波数に基づいて前記光送信器の誤接続を検出する
ことを特徴とするファイバ誤接続検出方法。
（付記６）
付記５記載のファイバ誤接続検出方法において、
前記光ファイバの誤接続を検出したとき、前記光送信器から出力する光信号を他のポートから出力するよう前記光スイッチにより切替える
ことを特徴とするファイバ誤接続検出方法。
（付記７）
複数の光送信器から出力される光信号の方路を光スイッチにより切替えて複数のポートのいずれかから多重光信号として送信するノード装置における光ファイバの誤接続を検出するファイバ誤接続検出方法において、
前記光信号を送信するポート毎に異なる周波数で前記光送信器の出力する光信号又は前記光スイッチの出力する光信号の振幅変調を行い、
前記複数のポートそれぞれから送信される多重光信号に含まれる各波長の振幅変動を検出し、
前記複数のポートそれぞれで検出された各波長の振幅変動を監視し、前記ポート毎に異なる周波数を含むか否かにより前記光送信器の誤接続を検出する
ことを特徴とするファイバ誤接続検出方法。
（付記８）
付記２記載のノード装置において、
前記検出部は、光モニタであることを特徴とするノード装置。
（付記９）
付記２記載のノード装置において、
前記検出部は、光受信器であることを特徴とするノード装置。
【符号の説明】
【００７０】
４０  ＮＭＳ
５１−１，５１−８  光送受信部
５２−１，５２−８  多重分離部
５３，５５，５７−１〜５７−８，５８−１〜５８−８  スプリッタ
５４  波長選択スイッチ
５６，７６−１〜７６−８，８２−１〜８２−８  カプラ
６９，６０，６４，６５，７４，７５，８０，８１  光スイッチ
６１，６２，６６，６７，７２，７３，７８，７９  チューナブルフィルタ
６３ａ〜６３ｄ，６８ａ〜６８ｄ，７１ａ〜７１ｄ，７７ａ〜７７ｄ  トランスポンダ
９０  管理部
９１  データパターン発生器
【図１】
2012244530.tif 000003
【図２】
2012244530.tif 000004
【図３】
2012244530.tif 000005
【図４】
2012244530.tif 000006
【図５】
2012244530.tif 000007
【図６】
2012244530.tif 000008
【図７】
2012244530.tif 000009